(57)【要約】【課題】装着が簡単で、使用中に脱落することがなく、耳朶に痛みを感じることのない耳飾りを提供する。また、豪華な装飾感を得ることができる耳飾りを提供する。【解決手段】人の耳の付け根に沿って装着されるＣ字状をなす支持部２０と、支持部２０の両端部２１、２２に設けられる装飾体３０、４０とからなり、支持部２０の一端部２１が耳の付け根の上端に係止すると共に、中央部が耳の付け根の裏側に当接させる。装飾体３０、４０は、それぞれ交換可能とする。【選択図】図１
2010193942.tif 000002
【特許請求の範囲】
【請求項１】
人の耳の付け根に沿って装着されるＣ字状をなす支持部と、前記支持部の両端部に設けられる装飾体とからなる耳飾りであって、
前記支持部の一端部が耳の付け根の上端に係止すると共に、中央部が耳の付け根の裏側に当接することを特徴とする耳飾り。
【請求項２】
前記支持部の他端部が、耳の付け根の下端部の表側に位置する形状であることを特徴とする請求項１に記載の耳飾り。
【請求項３】
前記装飾体が、交換可能に取り付けられていることを特徴とする請求項１又は２に記載の耳飾り。
【請求項４】
前記支持部が、貴金属からなることを特徴とする請求項１乃至３の何れかに記載の耳飾り。
【請求項５】
前記支持部が、合成樹脂からなることを特徴とする請求項１乃至３の何れかに記載の耳飾り。
【発明の詳細な説明】
【技術分野】
【０００１】
本発明は、耳に装着して使用される耳飾りに関し、特に、装着が簡単で、使用中に脱落したり、耳朶に痛みを感じたりすることもなく、豪華な装飾感を得ることができる耳飾りに関するものである。
【背景技術】
【０００２】
耳飾りには、耳朶等に孔を開けて装着するピアス式のものと、耳朶を挟み付けて装着するクリップ式のものが多く用いられている。ピアス式のものは、耳朶等に孔を開ける必要があり、装着に慣れる必要がある。また、孔を開けた部分が炎症を起こしたり、痛みを感じたりすることも少なくない。また、装着や取り外しに際しては、手間取ることも少なくない。特許文献１にはピアス式耳飾りの一例が記載されている。
【０００３】
クリップ式には、ネジを回して耳朶を挟み付けるネジ式のものと、バネの力で耳朶を挟み付けるバネ式のものが用いられている。クリップ式のものは、何れも、挟み付ける力が弱い場合には、使用中に脱落することがあり、紛失することも少なくない。挟み付ける力が強い場合には、耳朶に痛みを感じることになる。また、装着や取り外しに際しては、手間取ることも少なくない。特許文献２にはクリップ式耳飾りの一例が記載されている。
【０００４】
さらに、従来のピアス式又はクリップ式の耳飾りでは、耳飾りの重力が直接耳朶に働くので、耳朶に大きな負担とならないように、比較的小さな形状で軽量に形成されることが多く、大きな形状で豪華な装飾感が得られる耳飾りとすることが困難となっている。
【先行技術文献】
【特許文献】
【０００５】
【特許文献１】特開平１１−０４６８２３号公報
【特許文献２】特開２００１−６１５１９号公報
【発明の概要】
【発明が解決しようとする課題】
【０００６】
この発明が解決しようとする課題は、耳に装着して使用される耳飾りであって、装着が簡単で、使用中に脱落することがなく、耳朶に痛みを感じることのない耳飾りを提供することにある。また、豪華な装飾感を得ることができる耳飾りに関するものである。
【課題を解決するための手段】
【０００７】
本発明の請求項１に係る耳飾りは、人の耳の付け根に沿って装着されるＣ字状をなす支持部と、前記支持部の両端部に設けられる装飾体とからなる耳飾りであって、前記支持部の一端部が耳の付け根の上端に係止すると共に、中央部が耳の付け根の裏側に当接する手段を採用している。
【０００８】
また、本発明の請求項２に係る耳飾りは、請求項１に記載の耳飾りであって、前記支持部の他端部が、耳の付け根の下端部の表側に位置する形状である手段を採用している。また、本発明の請求項３に係る耳飾りは、請求項１又は２に記載の耳飾りであって、前記装飾体が、交換可能に取り付けられている手段を採用している。さらに、本発明の請求項４に係る耳飾りは、請求項１乃至３の何れかに記載の耳飾りであって、前記支持部が、貴金属からなる手段を採用している。また、本発明の請求項５に係る耳飾りは、請求項１乃至３の何れかに記載の耳飾りであって、前記支持部が、合成樹脂からなる手段を採用している。
【発明の効果】
【０００９】
本発明の耳飾りは、一端部が耳の付け根の上端に係止することにより装着されるので、簡単に装着することができると共に、使用中に脱落することもない。また、耳朶に孔を開ける必要がなく、耳飾りの重力が耳の付け根の上端に掛るようになっているので、耳朶等が炎症を起こしたり、痛みを感じたりすることもない。さらに、軽量のものに限定されることなく、貴金属や宝石を多量に用いて、豪華な装飾感を得ることができる。
【図面の簡単な説明】
【００１０】
【図１】本発明の耳飾りの一例を示す概略図である。
【図２】図１に示す耳飾りの本体部を示す概略図である。
【図３】図１に示す耳飾りの２つの装飾体を示す概略図である。
【図４】図１に示す耳飾りの使用時の状態を示す概略図である。
【図５】本発明の耳飾りの他の一例を示す概略図である。
【発明を実施するための形態】
【００１１】
図１に示すように、本発明の耳飾り１０は、人の耳の付け根に沿って装着されるＣ字状をなす支持部２０と、支持部２０の両端部２１、２２に設けられる装飾体３０、４０とからなっている。そして、支持部２０の湾曲した一端部２１が耳の付け根の上端に係止すると共に、中央部２３が耳の付け根の裏側に沿って当接するように形成されている。
【００１２】
一端部２１は、湾曲してその一部が耳の表側に現れるように形成される。これにより、一端部２１に装飾体を取付けることができる。他端部２２は、耳の付け根の下端から、他端が見え隠れする程度とすることもできる。しかし、一端部２１と同様に他端部２２も、湾曲してその一部が表側に現れるように形成されることが好ましい。これによって、耳飾り１０が、耳の付け根の周囲に沿って確実に装着されることになる。
【００１３】
図２に示すように、支持部２０は、耳の付け根に沿って装着できる形状であれば、その断面形状等は特に限定されない。図では、支持部２０の断面が、円形又は楕円形に近い形状である場合を示しているが、中空状として軽量化したり、板状の素材を様々な形状に変形させたりして形成することができる。重要なことは、人の皮膚に当接する部分が滑らかに形成されていることである。
【００１４】
支持部２０は、金属製とすることが可能である。また、比較的大きな形状で豪華な装飾感を得ることができる。そして、金やプラチナ等の貴金属を用いることにより、高級感を与えることができる。
【００１５】
支持部２０は、合成樹脂製とすることが可能である。また、着色した合成樹脂を用いることもできる。さらに、表面に多色で着色したり、文様を施したりすることができる。そして、主に、若者を対称として、幅広いデザインを施した耳飾りを形成することができる。
【００１６】
装飾体３０、４０は、支持部２０に固定して取り付けることもできる。しかし、装飾体３０、４０は、交換可能に取り付けられていることが好ましい。そして、複数の装飾体を用意しておき、使用時の雰囲気に応じて、適宜選択して使用することが好ましい。
【００１７】
簡単に、交換可能な状態に取り付けるためには、例えば、支持部２０の両端部２１、２２に開口２６、２７を設けることが好ましい。開口２６、２７の代わりに、ネジ孔としたり、連結用金具を用いたりすることもできる。
【００１８】
開口２６、２７に装飾体３０、４０を取り付ける方法としては、装飾体３０、４０の側に引き輪等の連結具を用いる。図３は、引き輪３１を備えた装飾体３０と、引き輪４１を備えた装飾体４０を示している。連結具としては、引き輪の他、バネ付きフックやネジ付きフック等の市販品を使用することができる。
【００１９】
図４は、実際に人の耳５０に、本発明の耳飾り１０を装着した外観を示している。装飾体３０、４０等を交換することにより、幅広いバリエーションが可能となること、若年層から熟年層まで幅広い年齢層に受け入れられることが理解される。
【００２０】
図５には、本発明の他の一例を示している。この耳飾り１１は、支持部２０の両端部２１、２２に固定して、夫々装飾体６０が設けられている。このように、装飾体６０を交換できない場合には、比較的小さめの装飾体６０を用いてオーソドックスなスタイルとし、飽きないようにすることが好ましい。
【００２１】
本発明の耳飾り１０、１１は、一端部２１が耳の付け根の上端に係止することによって装着されるので、簡単に装着することができる。そして、耳の形状にフィットしている限り、使用中に脱落する心配もない。また、耳朶に孔を開ける必要がなく、耳飾り１０、１１の重力が耳の付け根の上端に掛るようになっているので、耳朶等が炎症を起こしたり、痛みを感じたりすることもない。
【００２２】
また、本発明の耳飾りは、幅広いバリエーションにより、若者向けのファッションの一つとすることができる。また、貴金属や宝石を多量に用いて豪華な装飾感を得ることができるので、高級なファッションの一つとすることができる。
【符号の説明】
【００２３】
１０、１１    耳飾り
２０    支持部
２１    一端部
２２    他端部
２３    中央部
２６、２７    開口
３０、４０、６０    装飾体
３１、４１    引き輪
５０    耳
【図１】
2010193942.tif 000003
【図２】
2010193942.tif 000004
【図３】
2010193942.tif 000005
【図４】
2010193942.tif 000006
【図５】
2010193942.tif 000007